(57)【要約】【課題】  流体が入れられた容器から簡単かつ衛生的に内容物を注出する場合の誤使用を物理的に防止できる流体容器用注出装置を提供すること。  【解決手段】    流体用容器の切り取り部２７を切り取る注出ノズル２０を備える流体容器用注出装置１０で、注出ノズル２０の切り取り部２７の少なくとも内側形状２７ａを、挿入式注出針部材５の外側形状５ａに対し隙間を有する形状に形成する。  これにより、挿入式の注出針５を誤って切り取った孔に挿入しても隙間が形成され、内容物が漏れ出ることで誤使用を認識させ、直ちに使用を中止させるようにする。  【選択図】  図１
2006225021.tif 000002
【特許請求の範囲】
【請求項１】
流体用容器に基端部が取り付けられるとともに、先端部に切り取り部を介して開口部材が一体に設けられ、前記切り取り部が切り取られた先端部外周に流体注出用チューブが接続され内容流体を注出する注出ノズルを備える流体容器用注出装置であって、
前記注出ノズルの前記切り取り部の内側に、挿入式注出針部材の挿入を防止する挿入防止片を設けたことを特徴とする流体容器用注出装置。
【請求項２】
前記挿入防止片を、前記切り取り部の肉厚と略同一の薄肉部を介して前記開口部材と一体に形成してなることを特徴とする請求項１記載の流体容器用注出装置。
【請求項３】
流体用容器に基端部が取り付けられるとともに、先端部に切り取り部を介して開口部材が一体に設けられ、前記切り取り部が切り取られた先端部外周に流体注出用チューブが接続され内容流体を注出する注出ノズルを備える流体容器用注出装置であって、
前記注出ノズルの前記切り取り部の少なくとも内側形状を、挿入式注出針部材の外側形状に対し隙間を有する形状に形成してなることを特徴とする流体容器用注出装置。
【請求項４】
前記切り取り部の外側形状を、前記内側形状に薄肉部を介する略相似形に形成してなることを特徴とする請求項３記載の流体容器用注出装置。
【請求項５】
前記切り取り部の内側に、前記挿入式注出針部材の挿入を防止する挿入防止片を一体に形成してなることを特徴とする請求項３または４記載の流体容器用注出装置。
【請求項６】
前記開口部材に、前記挿入式注出針部材の挿入を防止する外部挿入防止部を形成してなることを特徴とする請求項１〜５のいずれかに記載の流体容器用注出装置。
【発明の詳細な説明】
【技術分野】
【０００１】
この発明は流体容器用注出装置に関し、流体が入れられた容器から簡単かつ衛生的に内容物をチューブを取り付けて取り出す場合の誤使用を防止できるようにしたもので、特に病院などの医療機関で使用する経腸栄養剤や流動食用として用いる場合に、薬液用などの点滴用との誤使用を物理的に防止できるようにしたものである。
【背景技術】
【０００２】
流体の保存容器として従来の缶やビンに代わり合成樹脂製などのボトル状の容器やバッグ状の容器が用いられるようになって来ており、病院などの医療機関で使用する経腸栄養剤や流動食あるいは点滴用などの薬液や血液などの輸液もパウチに充填されて使用されることが多い。
【０００３】
このようなパウチから内容液を取り出す場合には、容器に接続されるカテーテルを用いて投与され、経腸栄養剤や流動食などは、例えばカテーテルの基端のチューブをパウチのノズルに接続し、カテーテルの先端を口や鼻から挿入して消化器に投与するようにし、薬液や血液などの輸液は、例えばカテーテルの基端の接続針をパウチのゴムなどの栓体に突き刺して接続し、カテーテルの先端に取り付けた注射針から血管に投与することが行われている。
【０００４】
このため経腸栄養剤などの場合には、パウチを簡単に開口でき、しかも衛生的に取り扱うことができるようにスパウトと呼ばれるノズル状のものを予め容器に取り付けておき、開口した後、ノズル部分にチューブを接続することで投与を容易にできるようにしたものが種々提案されている。
【０００５】
例えば特許文献１には、図１４（ａ）の縦断面図および同図（ｂ）のＢ−Ｂ断面図に示すように、容器としての包装袋に,封鎖されている筒部１とキャップ２とを有する注出口部材３を取り付け、キャップ２の回転により筒部１を破断するようにして開口することができる注出口部材３が開示されている。
【０００６】
また、特許文献２には、容器用キャップ装置として、容器の先端に注出筒を配置し、この注出筒は元部とテーパ状の胴体部と止め栓とを有し、開封用キャップは止め栓係合部を有して、注出筒に被嵌する際に止め栓と係合するようにしてある。そして、止め栓を切断する際には、止め栓係合部とが係合されている状態で、開封用キャップを注出筒に対して回転する。
【０００７】
これにより、注出筒の口部を開口する際に、手で直接触れることなく、容器内の液体を漏れ出さずに注出することができるようにしている。
【特許文献１】特開２００２−２１１５９３号公報
【特許文献２】特開２００２−２９３３６１号公報
【発明の開示】
【発明が解決しようとする課題】
【０００８】
このような経腸栄養剤などの注出に用いる注出口部材３などでは、いずれもキャップ２を回動することで注出筒１の先端部を切り取り部から切り取って手で直接触れることなく開口することができ、図１４（ｃ）に示すように、注出筒１のノズルにチューブ４を接続することで容器内の液体を注出することができるが、万一、図１２（ｄ）に示すように、誤って切り取った注出筒１の先端に輸液用の接続針５を刺し込もうとすると、嵌合連結できる場合があり、そのまま投与すると重大な事態を招くおそれがある。  
このような誤接続を防止できるスパウトについても種々提案されているものの、切り取り部を切り取る形式のものは開発されていないのが現状である。  
この発明は、上記従来技術の課題と現状に鑑みてなされたもので、流体が入れられた容器から簡単かつ衛生的に内容物を注出する場合の誤使用を物理的に防止できる流体容器用注出装置を提供しようとするものである。  
【課題を解決するための手段】
【０００９】
上記従来技術の有する課題を解決するためこの発明の請求項１記載の流体容器用注出装置は、流体用容器に基端部が取り付けられるとともに、先端部に切り取り部を介して開口部材が一体に設けられ、前記切り取り部が切り取られた先端部外周に流体注出用チューブが接続され内容流体を注出する注出ノズルを備える流体容器用注出装置であって、前記注出ノズルの前記切り取り部の内側に、挿入式注出針部材の挿入を防止する挿入防止片を設けてなることを特徴とするものである。
【００１０】
この流体容器用注出装置によれば、流体用容器の切り取り部を切り取る注出ノズルを備える流体容器用注出装置で、注出ノズルの切り取り部の内側に、挿入式注出針部材の挿入を防止する挿入防止片を一体あるいは別体に設けるようにしており、誤って挿入式の注出針を刺し込もうとしても挿入防止片で阻止でき、誤使用を物理的に防止できるようになるとともに、注出ノズルで流体が入れられた容器から簡単かつ衛生的に内容物を注出できるようにしている。
【００１１】
また、この発明の請求項２記載の流体容器用注出装置は、請求項1記載の構成に加え、前記挿入防止片を、前記切り取り部の肉厚と略同一の薄肉部を介して前記開口部材と一体に形成してなることを特徴とするものである。
【００１２】
この流体容器用注出装置によれば、前記挿入防止片を、前記切り取り部の肉厚と略同一の薄肉部を介して開口部材と一体に形成するようにしており、開口部材を操作することで挿入防止片を残して薄肉部から切り取って開口できるようになる。
【００１３】
さらに、この発明の請求項３記載の流体容器用注出装置は、流体用容器に基端部が取り付けられるとともに、先端部に切り取り部を介して開口部材が一体に設けられ、前記切り取り部が切り取られた先端部外周に流体注出用チューブが接続され内容流体を注出する注出ノズルを備える流体容器用注出装置であって、前記注出ノズルの前記切り取り部の少なくとも内側形状を、挿入式注出針部材の外側形状に対し隙間を有する形状に形成してなることを特徴とするものである。
【００１４】
この流体容器用注出装置によれば、流体用容器の切り取り部を切り取る注出ノズルを備える流体容器用注出装置で、前記注出ノズルの前記切り取り部の少なくとも内側形状を、挿入式注出針部材の外側形状に対し隙間を有する形状に形成するようにしており、挿入式の注出針を誤って切り取った孔に挿入しても隙間が形成され、内容物が漏れ出ることで誤使用を認識させて直ちに中止できるようになる。
【００１５】
また、この発明の請求項４記載の流体容器用注出装置は、請求項３記載の構成に加え、前記切り取り部の外側形状を、前記内側形状に薄肉部を介する略相似形に形成してなることを特徴とするものである。
【００１６】
この流体容器用注出装置によれば、前記切り取り部の外側形状を、前記内側形状に薄肉部を介する略相似形に形成するようにしており、開口部材で略一定の肉厚の薄肉部を簡単に切り取って開口できるようになる。
【００１７】
さらに、この発明の請求項５記載の流体容器用注出装置は、請求項３または４記載の構成に加え、前記切り取り部の内側に、前記挿入式注出針部材の挿入を防止する挿入防止片を一体に形成してなることを特徴とするものである。
【００１８】
この流体容器用注出装置によれば、前記切り取り部の内側に、前記挿入式注出針部材の挿入を防止する挿入防止片を一体に形成するようにしており、切り取り部の内側形状とともに、挿入防止片で挿入式の注出針を刺すこと自体を防止し、一層確実に誤使用を防止するようにしている。
【００１９】
また、この発明の請求項６記載の流体容器用注出装置は、請求項１〜５のいずれかに記載の構成に加え、前記開口部材に、前記挿入式注出針部材の挿入を防止する外部挿入防止部を形成してなることを特徴とするものである。
【００２０】
この流体容器用注出装置によれば、前記開口部材に、前記挿入式注出針部材の挿入を防止する外部挿入防止部を形成するようにしており、開口部材を切り取る前に挿入式の注出針を開口部材に刺すことも防止でき、いずれの段階での誤使用も防止して一層確実に誤使用を防止するようにしている。
【発明の効果】
【００２１】
この発明の請求項１記載の流体容器用注出装置によれば、流体用容器の切り取り部を切り取る注出ノズルを備える流体容器用注出装置で、注出ノズルの切り取り部の内側に、挿入式注出針部材の挿入を防止する挿入防止片を設けるようにしたので、誤って挿入式の注出針を刺し込もうとしても一体あるいは別体の挿入防止片で阻止でき、誤使用を物理的に防止できるとともに、注出ノズルで流体が入れられた容器から簡単かつ衛生的に内容物を注出することができる。
【００２２】
また、この発明の請求項２記載の流体容器用注出装置によれば、前記挿入防止片を、前記切り取り部の肉厚と略同一の薄肉部を介して開口部材と一体に形成するようにしたので、開口部材を操作することで挿入防止片を残して薄肉部から切り取って開口することができ、誤使用を防止しながらこれまでと同様に操作することができる。
【００２３】
さらに、この発明の請求項３記載の流体容器用注出装置によれば、流体用容器の切り取り部を切り取る注出ノズルを備える流体容器用注出装置で、前記注出ノズルの前記切り取り部の少なくとも内側形状を、挿入式注出針部材の外側形状に対し隙間を有する形状に形成したので、挿入式の注出針を誤って切り取った孔に挿入しても隙間が形成され、内容物が漏れ出ることで誤使用を認識させることができ、直ちに使用を中止させることができる。  
また、この発明の請求項４記載の流体容器用注出装置によれば、前記切り取り部の外側形状を、前記内側形状に薄肉部を介する略相似形に形成するようにしたので、開口部材で略一定の肉厚の薄肉部を簡単に切り取って開口することができる。
【００２４】
さらに、この発明の請求項５記載の流体容器用注出装置によれば、前記切り取り部の内側に、前記挿入式注出針部材の挿入を防止する挿入防止片を一体に形成するようにしたので、切り取り部の内側形状とともに、挿入防止片で挿入式の注出針を刺すこと自体を防止して誤使用を一層確実に防止することができる。
【００２５】
また、この発明の請求項６記載の流体容器用注出装置によれば、前記開口部材の先端部に、前記挿入式注出針部材の挿入を防止する薄板状などの外部挿入防止部を形成するようにしたので、開口部材を切り取る前に挿入式の注出針を開口部材に刺すことも防止でき、いずれの段階での誤使用も防止して一層確実に誤使用を防止することができる。
【発明を実施するための最良の形態】
【００２６】
以下、この発明の実施の形態を図面に基づき詳細に説明する。    
図１はこの発明の流体容器用注出装置の一実施の形態にかかり、（ａ）は外観の平面図、正面図、底面図、（ｂ）は切り取り前の縦断面図、切り取り後の縦断面図、（ｃ）は切り取り部の横断面図、誤使用状態の横断面図である。  
この流体容器用注出装置１０は、注出ノズル２０を備えており、注出ノズル２０は、図示しないパウチなどの流体用容器に基端部が取り付けられるとともに、先端部に切り取り可能な切り取り部を介して開口部材が一体に設けられる。  
この流体容器用注出装置１０の注出ノズル２０は、図１に示すように、基端部に搬送および容器口部連結のためのガイドとなる基部フランジ部２１を備え、平面形状が横長の略八角形状とされ、この基部フランジ部２１の容器内側に中央部が円弧状に外側に突き出し左右が尖った横長の略ひし形状の連結部２２が設けられており、パウチなどの流体容器の口部と連結部２２とが溶着などで固定できるようになっている。
【００２７】
この注出ノズル２０の基部フランジ部２１の容器外側部分には、中央部に突き出すように略円筒状の注出ノズル本体２３が一体に形成され、中間部に２つのフランジ部２４、２５が設けてある。
【００２８】
これら中間部のフランジ部２４，２５のうち、上方のフランジ部２５より上方に突き出す注出ノズル本体２３部分が開口後のカテーテルのチューブの接続部２６とされて先端部が円錐状に細めてあり、この接続部２６に切り取り用の切り取り部２７を介して切り取るための開口部材２８が一体に成形してある。
【００２９】
この開口部材２８では、注出ノズル本体２３の接続部２６の上部に円板部２９が形成され、この円板部２９に円周等間隔に４箇所の突き出した切取操作用の操作部３０が形成され、これら操作部３０を中心軸回りに回動したり、下側から押し上げるようにしたり、これら回動および押し上げを組み合わせることなどで、切り取り部２７から切り離して注出ノズル２０の先端を開口することができるようになっている。  
なお、この切り取り部２７から切り離して行う注出ノズル２０の先端の開口は、後述するように、注出ノズル２０に被せたカバーキャップを回動することで行われる。
【００３０】
そして、通常の使用では、開口部材２８を操作部３０で切り取り部２７から切り離して注出のズル２０の先端を開口した後、接続部２６の外側に流体注出用チューブであるカテーテルチューブを被せるように接続し、容器を倒立状態として注出ノズル２０を下にした状態で注出・投与が行われる。
【００３１】
このような通常の使用に対し、輸液用の接続針を挿入することによる誤使用を防止するため、この流体容器用注出装置１０の注出ノズル２０では、図１（ｃ）に示すように、切り取り部２７の内側形状２７ａが真円の接続針５の外側形状５ａに対して、互いを挿入嵌合した場合に隙間が形成される形状、例えば楕円形状としてある。  
また、この切り取り部２７では、楕円形状の内側形状２７ａに切り取り可能な肉厚の薄肉部２７ｂを介して外側形状２７ｃが形成され、相似形の楕円形状としてある。
【００３２】
したがって、このように構成した流体容器用注出装置１０の注出ノズル２０では、図１（ｃ）に示すように、内側形状２７ａが楕円形状の注出ノズル２０の切り取り部２７に誤って輸液用の真円の接続針５を挿入・接続しようとすると、挿入することはできるものの、注出ノズル２０の楕円の内側形状２７ａと接続針５の真円の外側形状５ａとで隙間が形成され、容器を倒立状態で注出・投与しようとすると、内容液が漏れ出し、誤接続であることが直ちに分かり、投与が中止できる。
【００３３】
このように注出ノズル２７の切り取り部２７の内側形状２７ａは、輸液用の接続針５の外側形状５ａに対して隙間が形成される形状であれば、内容液の漏れ出しによって誤接続を認識させることができることから、例えば図２に示すように、内側形状２７ａを略長方形状にしたり、十字形状、あるいは円と長方形を組み合わせた略鍵穴形状とし、これらの内側形状２７ａと一定の肉厚の薄肉部２７ｂを介して相似形の切り取り部２７の外側形状２７ｃとするようにしても良く、いずれの場合でも、誤って輸液用の真円の接続針５を挿入・接続しようとすると、挿入することはできるものの、注出ノズル２０の楕円の内側形状２７ａと接続針５の真円の外側形状５ａとで隙間が形成され、容器を倒立状態で注出・投与しようとすると、内容液が漏れ出し、誤接続であることが直ちに分かり、投与が中止できる。
【００３４】
なお、切り取り部２７の内側形状２７ａは、これらの形状に限るものでなく、他の形状であっても良く、輸液用の接続針の外側形状に対して隙間ができる形状であれば良い。
【００３５】
また、このように注出ノズル２７の切り取り部２７への誤接続防止は、その内側形状２７ａによって行うことから、切り取り部２７の外側形状２７ｃは、必ずしも内側形状２７ａと一定の肉厚の薄肉部２７ｂを介して相似形にする必要はなく、真円の外側形状など、他の形状であっても良く、開口部材２８の操作部３０で切り取ることができる薄肉部２７ｂを介して一体に形成できれば良い。
【００３６】
次に、切り取り部２７を開口部材２８の操作部３０で切りとって開口させずに、未開口のまま輸液用の接続針を刺し込む場合の誤接続を防止するため、この流体容器用注出装置１０では、図３に示すように、開口部材２８が円板部２９の中心部に上方に突き出して薄板状の外部挿入防止部３０ａを備えた操作部３０が形成してあり、薄板状の外部挿入防止部３０ａの木口などへ輸液用の接続針を刺し込むことができないようになっている。  
なお、この場合でも、通常の切り取り部２７から切り離して行う注出ノズル２０の先端の開口は、後述するように、注出ノズル２０に被せたカバーキャップを回動することで行われる。  
したがって、外部挿入防止部３０ａはカバーキャップを回動せずに単に取り外しただけの注出ノズルへの誤接続を防止するものである。
【００３７】
この薄板状の外部挿入防止部３０ａを備える操作部３０を組み合わせることで、開口部材２６を切り取る前の未開口状態での誤接続を物理的に防止することができ、切り取り部２７の内側形状２７ａを隙間を有する形状とすることによって開口後の誤接続を物理的に防止することができる。
【００３８】
この開口部材２８に外部から輸液用の接続針を刺し込むことを防止する操作部３０の外部挿入防止部３０ａとしては、図４に示すように、長方形状や三角形状の薄板を十字状に組み合わせたものとしても良く、これらに限らず、外側から接続針の挿入を防止できる凸状などの形状であれば良い。
【００３９】
次に、誤接続を防止する流体容器用注出装置の他の実施の形態について、図５により説明すると、この流体容器用注出装置１０では、注出ノズル２０の切り取り部２７の内側に、輸液用の接続針の挿入を防止する挿入防止片２７ｄを一体成形してあり、切り取り部２７の内側形状２７ａが真円およびこれを中央で仕切る平板状の挿入防止片２７ｄにより２つの半円形状としてある。
【００４０】
そして、この挿入防止片２７ｄと開口部材２８との間も切り取り部２７の周囲の薄肉部２７ｂと略同一の肉厚の薄肉部２７ｅを介して切り取り可能に形成してあり、円板部２９の挿入防止片２７ｄに対応する部分が凹部とされ、これによって薄肉部２７ｅを形成してある。
【００４１】
また、この切り取り部２７の外側形状２７ｃは、略一定の肉厚の薄肉部２７ｂを介して内側形状２７ａと相似の真円形状としてある。
【００４２】
このような流体容器用注出装置１０によれば、後述するように、被せてあるカバーキャップを介して開口部材２８を回動操作して切り取り部２７の周囲の薄肉部２７ｂおよび挿入防止片２７ｄとの間の薄肉部２７ｅを切り取るようにすることで、注出ノズル２０の先端を開口でき、この開口に誤って輸液用の接続針を刺し込んで接続しようとすると、挿入防止片２７ｄによって挿入が阻止され、物理的な挿入が防止される。
【００４３】
また、輸液用の接続針が細い場合には、切り取り部２７の内側形状２７ａの２つの半円部分に刺し込まれることがあるが、半円と接続針の真円との間に隙間が形成され、容器を倒立状態にして投与を開始しようとすると、内容液が漏れ出し、誤接続であることを認識させ、直ちに投与を中止させることができる。
【００４４】
さらに、開口部材２８を切り取り操作する前の未開口状態で輸液用の接続針を刺し込もうとする場合には、開口部材２８の中央部に挿入防止片２７ｄに対応する凹部が形成してあるが、この凹部の下には、挿入防止片２７ｄが位置し、しかも挿入防止片２７ｄの両端部が注出ノズル２０の内壁と一体に連結してあるので、刺し込んで接続することができず、未開口状態での誤接続も防止できる。
【００４５】
なお、この挿入防止片は、注出ノズル２０の切り取り部２７の内側に一体に形成する場合に限らず、例えば図６に示すように、挿入防止辺２７ｄを別体として成形したものを、注出ノズル２０の基端側から装着しておくようにしても良く、リング部２７ｆとその中央部の台形状のプレート部２７ｇとで構成し、プレート部２７ｇの両側面と注出ノズル２０内に形成した突起部２０ａとで装着状態を保持するようにしてある。
【００４６】
また、この挿入防止片は、すでに説明した切り取り部の内側形状を接続針に対して隙間を形成するようにしたものと組み合わせるようにしても良く、一層確実に誤接続を防止することが可能となる。
【００４７】
さらに、挿入防止片の形状は、長方形状や三角形状の板状のものを組み合わせたものに限らず、柱状など他の形状であっても良い。
【００４８】
次に、これまでに説明したいずれの注出ノズルにも被せるとともに、開口操作を行う流体容器用注出装置１０のカバーキャップについて説明する。  
図７〜図９はこの発明の流体容器用注出装置の一実施の形態にかかり、図７（ａ）,（ｂ）はそれぞれ注出ノズルにカバーキャップを被せた状態の縦断面図および平面図で、（ａ）は切り取り前の状態を、（ｂ）は切り取り後の状態を示す、図８は注出ノズルの左半分のみを切断した縦断面図、平面図および底面図、図９はカバーキャップの直交する２方向の縦断面図、平面図、底面図およびＤ‐Ｄ断面図である。
【００４９】
この流体容器用注出装置１０のカバーキャップ４０は、容器に取り付けられた注出ノズル２０に被嵌されるとともに、前記開口部材２８と係合させ外側からの回転力を介してこの開口部材２８を切り取るために用いられる。
【００５０】
このカバーキャップ４０は、図７および図９に示すように、注出ノズル本体２３の上方のフランジ部２５に当てられる略円筒状のカバーキャップ本体４１を備えるとともに、その上部に開口部材２８の操作部３０の外側を囲むように配置される２つの対向する横断面コ字状の外筒部４２とこれらと隣接する２つの円錐部４３とが設けられて注出ノズル２０の外側を覆うことができるように形成してある。
【００５１】
そして、カバーキャップ４０の上面は、棒状の押え部材４４が外筒部４２の上端同士を連結するブリッジ状に設けてあり、切り取り前のカバーキャップ４０を被せた状態では開口部材２８の操作部３０の上に平行に配置されるようになっている。
【００５２】
また、このカバーキャップ４０には、切り取り操作のため回動するが、回動を容易にするためカバーキャップ本体４１の外側に指掛け用リブ４１ａが外側に突き出して２箇所設けてある。なお、指掛け用リブ４１ａは、必要に応じてさらに増設するようにしても良い。
【００５３】
このような注出ノズル２０とこれに被せるカバーキャップ４０とで構成される流体容器用注出装置１０では、注出ノズル２０の切り取り部２７を介して設けられる開口部材２８を、カバーキャップ４０を回動することで切り取って開口するため、切り離し用カム機構４５が設けてある。
【００５４】
この切り離し用カム機構４５は、カバーキャップ４０の円錐部４３の内側に中央部が高く両側が傾斜した切り離しカム４６が対向して設けられ、開口部材２８の操作部３０の下面をカムフォロアとし、カバーキャップ４０をその中心軸回りに回動することで、操作部３０を押し上げるようにし、これによって開口部材２８を切り取り部２７から切り離すことができる。
【００５５】
この切り離し操作の際、開口部材２８の操作部３０の下面が切り離しカム４６で押さえられるとともに、上面がブリッジ状の押え部材４４で押さえられ、切り取られた開口部材２８を挟んだ状態に保持する切り取り片保持手段４７が切り離しカム４６と押え部材４４とで構成され、この切り取り片保持手段４７によりカバーキャップ４０内に切り取り片（開口部材２８）を保持することができ、カバーキャップ４０とともに取り除くことができる。
【００５６】
このような開口部材２８をカバーキャップ４０の回動により切り離しカム４６で押し上げて切り取るようにする場合に、注出ノズル２０とカバーキャップ４０との間に相対回転が生じると、開口が生じる恐れがあることから、この回動を防止する回動防止手段５０が設けてある。
【００５７】
この注出ノズル２０とカバーキャップ４０との回動防止手段５０は、注出ノズル２０の上方の円板状のフランジ部２５の中心軸を挟んで対向する２箇所に平面で切り欠いたノズル平面部５１を形成する一方、カバーキャップ４０の対応するカバーキャップ本体４１の内側に突き出すように２箇所のキャップ平面部５２を形成してある。そして、開口操作前には、ノズル平面部５１とキャップ平面部５２とが面接触して簡単にはカバーキャップ４０を回動できないようにし、開口しようとする力を加えた場合には、カバーキャップ４０の弾性変形でノズル平面部５１を乗越えて回動できるようにしてある。
【００５８】
このようなノズル平面部５１とキャップ平面部５２を設けることで、注出ノズル２０とカバーキャップ４０を組み立てる場合の位置合わせに利用することができ、カバーキャップ４０の円錐部４３および押え部材４４の形状配置と協働し、目印として組立作業を容易にすることができる。
【００５９】
なお、この回動防止手段５０として設けるノズル平面部５１とキャップ平面部５２は、図８および図９に示すように、対向する２箇所に形成する場合のほか、図１０（ａ）に示すように、円周等間隔に３箇所としたり、同図（ｂ）に示すように、４箇所とするようにしても良く、さらに増加するようにしても良い。
【００６０】
さらに、回動防止手段５０として機能するカバーキャップ４０のキャップ平面部５２は連続する直線で構成したものに限定されず、例えば図１０（ｃ）に示すように、曲面部５３の両端部にキャップ平面部５２を有するものでも良く、この場合の平面部も円周等間隔に２箇所とする場合だけでなくさらに増大するようにしても良い。
【００６１】
このような流体容器用注出装置１０では、カバーキャップ４０の相対回転を防止する必要のほか、カバーキャップ４０が開口操作完了まで軸方向に外れないようにする必要があり、外れ防止手段６０が設けてある。
【００６２】
このカバーキャップ４０の外れ防止手段６０は、注出ノズル２０の上方のフランジ部２５を利用し、その下面にカバーキャップ４０のカバーキャップ本体４１の下端部内側に突き出す係止突部６１を引っ掛けて係止するようにして外れを防止する一方、このフランジ部２５に形成した回動防止手段５０のノズル平面部５１の分だけ外周が切り欠かれていることで、係止突部６１が引っ掛からないようにして係止を開放できるようにしてある。
なお、ノズル平面部５１を設けていない場合には、カバーキャップ本体４１を弾性変形させて引き上げるようにして係止を開放することもできる。
【００６３】
一方、この外れ防止手段６０では、カバーキャップ４０を注出ノズル２０に被せた状態では、係止突部６１が上方のフランジ部２５のノズル平面部５１以外に位置して係止状態とすることができ、カバーキャップ４０を回動して開口部材２８を切り離し用カム４６で切り離して切り離しが完了した状態では、ノズル平面部５１に係止突部６１が位置して開放状態にすることができるようにしてある。
【００６４】
このように、回動防止手段５０のノズル平面部５１をカバーキャップ４０の回動防止に用いると同時に、カバーキャップ４０の外れ防止手段６０の係止突部６１の係止開放に用いるようにして兼用し、これにより、構造を簡素化し、製造も容易にできるようにしている。
【００６５】
さらに、この流体容器用注出装置１０では、カバーキャップ４０を回動することで注出ノズル２０の開口部材２８を切り離して開口が完了した状態で、カバーキャップ４０の外れ防止手段６０の係止が開放されるが、このことを明確に知り、カバーキャップ４０を取り外すことができるようにするため、カバーキャップ取り外しカム機構７０が設けてあり、切り取り完了後、カバーキャップ４０をその中心軸方向外側に移動するようにしてある。
【００６６】
このカバーキャップ取り外しカム機構７０は、カバーキャップ４０の下部内周に下方に突き出した取り外しカム７１が中心軸を挟んで１対形成され、これら取り外しカム７１に対応するカムフォロア７２が注出ノズル２０の上方のフランジ部２５の上面２箇所に突き出して形成してある。
【００６７】
これら取り外しカム７１とカムフォロア７２とで、カバーキャップ４０を回動することにより、カバーキャップ４０を軸方向外側に押し上げるようにリフトアップすることができる。  
これにより、カバーキャップ４０を注出ノズル２０から取り外して良いことがわかるとともに、カバーキャップ４０の外れ防止手段６０の係止が開放されていることもわかる。
【００６８】
なお、カバーキャップ４０の外れ防止手段６０として、係止突部６１だけを設けてノズル平面部５１が設けてない場合には、回動位置によってノズル平面部５１での開放が起こらないが、カバーキャップ４０の取り外しカム７１によってリフトアップさせることで、係止突部６１を弾性変形させて係止を開放することもできる。
【００６９】
このような流体容器用注出装置１０では、図示しない流体容器、例えばパウチの口部に溶着などで取り付けた注出ノズル２０に、図７（ａ）に示すように、カバーキャップ４０を被せるようにし、外れ防止手段６０の係止突部６１を回動防止手段５０のノズル平面部５１以外のフランジ部２５に引っ掛けて係止して取り付けておく。  
これにより、カバーキャップ４０は注出ノズル２０から外れることなく保持され、注出ノズル２０を衛生的に保つことができる。
【００７０】
また、この状態では、注出ノズル２０の注出ノズル本体２３の先端部に切り取り部２７を介して一体に設けてある開口部材２８の円板部２９および操作部３０がカバーキャップ４０の外筒部４２および円錐部４３で取り囲まれた状態となるとともに、開口部材２８の上面と注出ノズル本体２３の押え部材４４とが僅かな隙間を隔てた状態になっている。
【００７１】
さらに、回動防止機構５０を構成する注出ノズル２０のノズル平面部５１とカバーキャップ４０のキャップ平面部５２とが面接触した状態となり、僅かな力がカバーキャップ４０に加わる程度では、カバーキャップ４０が回動できず、不用意に開口部材２８が切り取られることが防止される。
【００７２】
また、切り離し用カム機構４５の切り離しカム４６は、開口部材２８の操作部３０から回転方向で９０度離れたところに位置するとともに、キャップ取り外しカム機構７０の取り外しカム７１は、押し上げ前の状態で注出ノズル２０のフランジ部２５のカムフォロア７２と対向し、あるいは接する状態となっている。
【００７３】
次に、流体容器内の内容物（流体）を取り出す場合には、カバーキャップ４０の指掛け用リブ４１ａに指を掛けるなどし、カバーキャップ４０をその中心軸回りに回動するように注出ノズル２０の外側に沿って回動する。  
このとき、回動防止機構５０を構成する注出ノズル２０のノズル平面部５１とカバーキャップ４０のキャップ平面部５２とが面接触した状態となっているので、カバーキャップ４０を弾性変形させノズル平面部５１を乗越えるようにして回動防止機構５０を開放させる。
【００７４】
このカバーキャップ４０の回動により、切り離し用カム機構４５の切り離しカム４６が、まず開口部材２８の両側の操作部３０の下側に入り込み、この後操作部３０の下面との接触が始まり、さらに回動されると、図７（ｂ）に示すように、操作部３０が両側で押し上げられて切り取り部２７から切り取られる。
【００７５】
そして、切り取られた開口部材２８は、切り取り片保持手段４７を構成するカバーキャップ本体４１の押え部材４４および切り離しカム４６で上下が挟まれ、カバーキャップ４０内に確実に保持された状態となる。
【００７６】
また、カバーキャップ４０の回動により、切り離し用カム機構４５の切り離しカム４６が開口部材２８の両側の操作部３０の下側に入り込んだ後、キャップ取り外しカム機構７０の取り外しカム７１とカムフォロア７２との接触が開始されてカバーキャップ４０が押し上げられるようになり、開口部材２８が切り取られた状態になると、注出ノズル２０のフランジ部２５からリフトアップされた状態となる。これと同時に、カバーキャップ４０の外れ防止機構６０の係止突部６１がカバーキャップ４０のリフトアップによる弾性変形とノズル平面部５１に位置することで係止が開放される。
【００７７】
これらにより、カバーキャップ４０が注出ノズル２０のフランジ部２５からリフトアップされた状態では、開口部材２８の切り取りが完了し、カバーキャップ４０の外れ防止機構６０が開放されていることを簡単に知ることができ、注出ノズル２０からカバーキャップ４０を取り外して良いことが分かる。  
この後、カバーキャップ４０を取り外すことで、切り取られた開口部材２８もカバーキャップ４０内に保持した状態で取り除くことができる。    
これにより、注出ノズル２０の接続部２６に直接手を触れずに開口することができ、衛生的であり、直ちにカテーテルチューブの接続を行うことができる。なお、切り離しは、切り離し用カム機構４５を使用せずに、キャップ取り外し用カム機構７０のみを使用して行うこともできる。
【００７８】
このような流体容器用注出装置１０によれば、簡単な構造で、カバーキャップの回動防止、カバーキャップの外れ防止、切り取り片の保持および一体廃棄など必要な機能をすべて備えることができるとともに、衛生的に取り扱うことができる。
【００７９】
次に、注出ノズル２０の開口部材２８をカバーキャップ４０の回動操作による回転だけで切り離すようにした流体容器用注出ノズル１０Ａについて、図１１〜図１３により説明するが、すでに説明したものと同一部分には同一記号を記し、説明は省略する。    
図１１〜図１３はこの発明の流体容器用注出装置の他の一実施の形態にかかり、図１１（ａ）,（ｂ），（ｃ）はそれぞれ注出ノズルにカバーキャップを被せた状態の縦断面図，平面図およびＣ−Ｃ断面図で、（ａ）、（ｃ）は切り取り前の状態を、（ｂ）は切り取り後の状態を示す、図１２は注出ノズルの左半分のみを切断した縦断面図、平面図および底面図、図１３はカバーキャップのＡ−Ｏ−Ａ断面図、平面図および底面図である。
【００８０】
この流体容器用注出装置１０Ａは押し上げ力を加えずに切り離すようにしており、注出ノズル２０の切り取り部２７を介して一体に形成される開口部材２８には、円板部２９の周囲に４箇所の操作部３０が突き出して形成してある。
【００８１】
また、開口部材２８の円板部２９の外側面には、切り取り片保持手段４７を構成する水平の凸条３１が形成してあり、上面には、カバーキャップ４０を支持する円形に窪んだ支持部３２が形成してある。
【００８２】
一方、カバーキャップ４０には、開口部材２８の円板部２９および操作部３０が嵌合される嵌合凹部４８がこれらの平面形状に対応して形成されるとともに、この嵌合凹部４８の内面に開口部材２８の水平の凸条３１に対応する凹溝４９が形成され、凸条３１と凹溝４９とを係合することで、切り取られた開口部材２８をカバーキャップ４０内に保持する切り取り片保持手段４７を構成している。  
また、カバーキャップ４０のカバーキャップ本体４１の天面内側に下方に突き出す支持突起４１ｂが形成してあり、開口部材２８の支持部３２と係合するようになっている。
【００８３】
なお、この流体容器用注出装置１０Ａの他の構成は、すでに説明した流体容器用注出装置１０と同一であり、同一の構成の回動防止手段５０、外れ防止手段６０、キャップ取り外しカム機構７０を備えている。
【００８４】
このような流体容器用注出装置１０Ａでは、図示しない流体容器、例えばパウチの口部に溶着などで取り付けた注出ノズル２０に、図１１（ａ）に示すように、カバーキャップ４０を被せるようにし、外れ防止手段６０の係止突部６１を回動防止手段５０のノズル平面部５１以外のフランジ部２５に引っ掛けて係止して取り付けておく。  
これにより、カバーキャップ４０は注出ノズル２０から外れることなく保持され、注出ノズル２０を衛生的に保つことができる。
【００８５】
また、この状態では、注出ノズル２０の注出ノズル本体２３の先端部に切り取り部２７を介して一体に設けてある開口部材２８の円板部２９および操作部３０がカバーキャップ４０の嵌合凹部４８に嵌合されるとともに、開口部材２８の凸条３１とカバーキャップ４０の凹溝４９が係合し、開口部材２８が切り取られてもカバーキャップ４０に確実に保持できる状態になっている。
【００８６】
さらに、回動防止機構５０を構成する注出ノズル２０のノズル平面部５１とカバーキャップ４０のキャップ平面部５２とが面接触した状態となり、僅かな力がカバーキャップ４０に加わる程度では、カバーキャップ４０が回動できず、開口部材２８の切り取り部２７の強度による回動を防止する機能と協働して一層確実に不用意に開口部材２８が切り取られることが防止される。
【００８７】
また、カバーキャップ４０のカバーキャップ本体４１の天面内側の支持突起４１ｂが注出ノズル２０の開口部材２８の上面の窪んだ支持部３２と係合し、これらを中心にカバーキャップ４０を回動できるようになっている。
【００８８】
さらに、キャップ取り外しカム機構７０の取り外しカム７１は、押し上げ前の状態で注出ノズル２０のフランジ部２５のカムフォロア７２と隙間をあけて対向し、あるいは接する状態となっている。
【００８９】
次に、流体容器内の内容物（流体）を取り出す場合には、カバーキャップ４０の指掛け用リブ４１ａに指を掛けるなどし、カバーキャップ４０をその中心軸回りに回動するように注出ノズル２０の外周面に沿って回動する。  
このとき、回動防止機構５０を構成する注出ノズル２０のノズル平面部５１とカバーキャップ４０のキャップ平面部５２とが面接触した状態となっているので、カバーキャップ４０を弾性変形させノズル平面部５１を乗越えるようにして回動防止機構５０を開放させる。
【００９０】
このカバーキャップ４０を回動する場合に、注出ノズル２０の支持部３２とカバーキャップ４０の支持突起４１ｂとの係合により、カバーキャップ４０を注出ノズル２０に対して安定して回動させることができる。
【００９１】
また、この流体容器用注出装置１０Ａでは、カバーキャップ４０の回動で、カバーキャップ４０の嵌合凹部４８に嵌合している開口部材２８が回動されて切り取り部２７から切り取られ、注出ノズル２０が開口される。  
そして、切り取られた開口部材２８は、切り取り片保持手段４７を構成するカバーキャップ本体４１の凹溝４９と開口部材２８の凸条３１との係合によってカバーキャップ４０内に確実に保持された状態となる。
【００９２】
また、カバーキャップ４０の回動により、キャップ取り外しカム機構７０の取り外しカム７１とカムフォロア７２との接触が開始されてカバーキャップ４０が押し上げられるようになり、開口部材２８が切り取られた状態になると、注出ノズル２０のフランジ部２５からリフトアップされた状態となる。これと同時に、カバーキャップ４０の外れ防止機構６０の係止突部６１がカバーキャップ４０のリフトアップによる弾性変形とノズル平面部５１に位置することで係止が開放される。
【００９３】
これらにより、カバーキャップ４０が注出ノズル２０のフランジ部２５からリフトアップされた状態では、開口部材２８の切り取りが完了し、カバーキャップ４０の外れ防止機構６０が開放されていることを簡単に知ることができ、注出ノズル２０からカバーキャップ４０を取り外して良いことが分かる。
【００９４】
この後、カバーキャップ４０を取り外すことで、切り取られた開口部材２８もカバーキャップ４０内に保持した状態で取り除くことができ、一体として廃棄することができる。  
これにより、注出ノズル２０の接続部２６に直接手を触れずに開口することができ、衛生的であり、直ちにカテーテルチューブの接続を行うことができる。  
このような流体容器用注出装置１０Ａによれば、簡単な構造で、カバーキャップの回動防止、カバーキャップの外れ防止、切り取り片の保持および一体廃棄など必要な機能をすべて備えることができるとともに、衛生的に取り扱うことができる。
【００９５】
なお、上記実施の形態では、流体容器の材質や形状については、特に説明していないが、通常の流体用の容器として用いられるものであれば良く、特に合成樹脂製のバッグ状やボトル状のもので、医療用の経腸栄養剤や流動食などが入れられる容器等に好適である。
【００９６】
また、注出装置を構成する注出ノズルやカバーキャップの材質は、特に説明していないが、通常用いられる合成樹脂で良く、例えばポリプロピレンなどが用いられ、射出成形などで成形される。
【図面の簡単な説明】
【００９７】
【図１】この発明の流体容器用注出装置の一実施の形態にかかり、（ａ）は外観の平面図、正面図、底面図、（ｂ）は切り取り前の縦断面図、切り取り後の縦断面図、（ｃ）は切り取り部の横断面図、誤使用状態の横断面図である。
【図２】この発明の流体容器用注出装置の他の一実施の形態にかかるそれぞれ切り取り部の横断面図である。
【図３】この発明の流体容器用注出装置のさらに他の一実施の形態にかかり、（ａ）は外観の平面図、正面図、底面図、（ｂ）は側面図である。
【図４】この発明の流体容器用注出装置のそれぞれ他の一実施の形態にかかり、（ａ）は外観の側面図、正面図、平面図、（ｂ）は外観の側面図、正面図、平面図である。
【図５】この発明の流体容器用注出装置の一実施の形態にかかり、（ａ）は切り取り前の縦断面図、切り取り後の縦断面図、（ｂ）は切り取り部の横断面図である。
【図６】この発明の流体容器用注出装置の他の一実施の形態にかかり、（ａ）は切り取り前の縦断面図、切り取り後の縦断面図、切り取り部の横断面図、（ｂ）は別体の挿入防止片の平面図、縦断面図、正面図である。
【図７】この発明の流体容器用注出装置の一実施の形態にかかり、（ａ）,（ｂ）はそれぞれ注出ノズルにカバーキャップを被せた状態の縦断面図および平面図で、（ａ）は切り取り前の状態を、（ｂ）は切り取り後の状態を示す。
【図８】この発明の流体容器用注出装置の一実施の形態にかかる注出ノズルの左半分のみを切断した縦断面図、平面図および底面図である。
【図９】この発明の流体容器用注出装置の一実施の形態にかかるカバーキャップの直交する２方向の縦断面図、平面図、底面図およびＤ‐Ｄ断面図である。
【図１０】この発明の流体容器用注出装置の回動防止手段の他の実施の形態にかかる注出ノズルの平面図およびカバーキャップの横断面図である。
【図１１】この発明の流体容器用注出装置の他の一実施の形態にかかり、（ａ）,（ｂ），（ｃ）はそれぞれ注出ノズルにカバーキャップを被せた状態の縦断面図，平面図およびＣ−Ｃ断面図で、（ａ）、（ｃ）は切り取り前の状態を、（ｂ）は切り取り後の状態を示す。
【図１２】この発明の流体容器用注出装置の他の一実施の形態にかかる注出ノズルの左半分のみを切断した縦断面図、平面図および底面図である。
【図１３】この発明の流体容器用注出装置の他の一実施の形態にかかるカバーキャップのＡ−Ｏ−Ａ断面図、平面図および底面図である。
【図１４】従来の注出口部材の縦断面図、Ｂ−Ｂ断面図、通常使用状態の断面図および誤使用状態の断面図である。
【符号の説明】
【００９８】
５            接続針
５ａ          外側形状
１０，１０Ａ  流体容器用注出装置
２０          注出ノズル
２０ａ        突起部
２１          基部フランジ部
２２          連結部
２３          注出ノズル本体
２４，２５    フランジ部
２６          接続部
２７          切り取り部
２７ａ        内側形状
２７ｂ        薄肉部
２７ｃ        外側形状
２７ｄ        挿入防止片
２７ｅ        薄肉部
２７ｆ        リング部
２７ｇ        プレート部
２８          開口部材
２９          円板部
３０          操作部
３１          凸条
３２          支持部
４０          カバーキャップ
４１          カバーキャップ本体
４１ａ        指掛け用リブ
４１ｂ        支持突起
４２          外筒部
４３          円錐部
４４          押え部材
４５          切り離し用カム機構
４６          切り離しカム
４７          切り取り片保持手段
４８          嵌合凹部
４９          凹溝
５０          回動防止手段
５１          ノズル平面部
５２          キャップ平面部
５３          曲面部
６０          外れ防止手段
６１          係止突部
７０          カバーキャップ取り外しカム機構
７１          取り外しカム
７２          カムフォロア
【図１】
2006225021.tif 000003
【図２】
2006225021.tif 000004
【図３】
2006225021.tif 000005
【図４】
2006225021.tif 000006
【図５】
2006225021.tif 000007
【図６】
2006225021.tif 000008
【図７】
2006225021.tif 000009
【図８】
2006225021.tif 000010
【図９】
2006225021.tif 000011
【図１０】
2006225021.tif 000012
【図１１】
2006225021.tif 000013
【図１２】
2006225021.tif 000014
【図１３】
2006225021.tif 000015
【図１４】
2006225021.tif 000016